(57)【要約】【課題】  球送り部材と電磁石との間の隙間を小さくしても電磁石の消磁の際に球送り部材がすみやかに離れるようにする。【解決手段】  供給通路２９の傾斜下端に対向する位置には、球送り部材２７が配設され、その上方に、電磁石２６が取り付けられている。球送り部材２７は、後端上部が本体部２２に軸４１により軸支され、供給通路２９の傾斜下端に対向する上部には球抑止部４２が、下部先端に球載せ部４３が形成されている。球抑止部４２と球載せ部４３とに囲まれた空間が遊技球を１球保持する球受け部４４となっている。球送り部材２７の上部の電磁石２６と対向する面には、被吸引部材３９が爪５０に挟まれて付設されている。被吸引部材３９は、磁性部材である鉄板４５及び非磁性部材である薄板４６とから構成され、鉄板４５の上面に薄板４６が接着剤により接着固定されている。【選択図】  図３
2006034477.tif 000002
【特許請求の範囲】
【請求項１】
遊技球が流下する供給通路と、
当該供給通路から遊技球を１個受け入れる球受け部を有する球送り部材と、
当該球送り部材に設けられた磁性部材と、
当該磁性部材に対向するように設けられた電磁石とを有し、
当該電磁石を所定時間励磁して前記磁性部材を吸引することにより前記球送り部材を作動させ、前記球受け部に受け入れた１個の遊技球を発射部に供給する遊技機の球送り装置において、
前記磁性部材の前記電磁石との対向面に、非磁性部材からなる薄板を設けたことを特徴とする遊技機の球送り装置。
【請求項２】
請求項１に記載の球送り装置を備えた遊技機。
【発明の詳細な説明】
【技術分野】
【０００１】
本発明は、遊技機の球送り装置に関するものである。
【背景技術】
【０００２】
一般に、パチンコ機のような遊技機では、上皿に保持した遊技球を前面枠の裏面側に設けられた球送り装置に導き、その球送り装置から１個ずつ発射レールの発射部に供給するような構造になっている。球送り装置には、遊技球を１球だけ収納可能な球受け部を先端に有する揺動可能な球送り部材が設けられ、電磁石の励磁によりこの球送り部材を引きつけ、消磁により元に戻すことにより遊技球を発射部に送り込むように構成されている。
【０００３】
上記電磁石の励磁により球送り部材を引きつけるために、球送り部材には鉄板などの磁性部材が電磁石と対向する位置に設けられている。しかし、電磁石の励磁の際に電磁石と磁性部材が直接接触してしまうと、摩耗や破損する虞があるので、例えば特許文献１では、電磁石を励磁した場合にその電磁石と磁性部材との間の吸引状態を保持可能な一定の間隔を確保できるように球送り部材の電磁石側への上昇回動範囲を規制する上作動範囲規制手段と、電磁石の消磁により下降回動した球送り部材を受け止めて下降回動範囲を規制する下作動範囲規制手段とを設けている。このようにすれば、吸引状態の際に磁性部材と電磁石の吸引面との間に一定の隙間を有するので、磁性部材と電磁石とが衝接することがない。
【特許文献１】特許３０７２６０７号公報
【発明の開示】
【発明が解決しようとする課題】
【０００４】
しかしながら、磁力の比較的弱い電磁石を用いて球送り部材を吸引しようとする場合には、上記従来の遊技機のように隙間を設けることにより磁性部材と電磁石との接触を避けようとする場合に、電磁石と磁性部材との間にあまり大きな隙間を設けると励磁による球送り部材の吸引に失敗することがある。これを避けるために隙間を小さくすると、製品毎のばらつきにより、製品によっては電磁石と磁性部材が接触してしまうおそれがある。そして、電磁石と磁性部材が接触した場合、電磁石を消磁しても磁性部材に磁気が残留し、この残留磁気により球送り部材がすみやかに元の位置に戻らず、遊技球を発射部に送り込む球送りがスムーズにおこなわれなくなることがある。
【０００５】
本発明は上記問題を解決するためになされたものであり、球送り部材に設けられた磁性部材と電磁石との間の隙間を小さくしても電磁石の消磁の際に球送り部材がすみやかに離れる遊技機の球送り装置及びその球送り装置を備えた遊技機を提供することを目的とする。
【課題を解決するための手段】
【０００６】
上記目的を達成するために、本発明の請求項１に記載の遊技機の球送り装置は、遊技球が流下する供給通路と、当該供給通路から遊技球を１個受け入れる球受け部を有する球送り部材と、当該球送り部材に設けられた磁性部材と、当該磁性部材に対向するように設けられた電磁石とを有し、当該電磁石を所定時間励磁して前記磁性部材を吸引することにより前記球送り部材を作動させ、前記球受け部に受け入れた１個の遊技球を発射部に供給する遊技機の球送り装置において、前記磁性部材の前記電磁石との対向面に、非磁性部材からなる薄板を設けたことを特徴とする。
【０００７】
また、本発明の請求項２に記載の遊技機は、請求項１に記載の発明の球送り装置を備えたことを特徴とする。
【発明の効果】
【０００８】
本発明の請求項１に記載の遊技機の球送り装置によれば、電磁石を所定時間励磁すると磁性部材が吸引されて球送り部材が作動されるが、磁性部材の電磁石との対向面に、非磁性部材からなる薄板が設けられているので、電磁石と磁性部材とが直接接触することがない。従って、所定時間経過後に電磁石を消磁すれば、磁性部材に残留磁気が残ることもなく、球送り部材がすみやかに元の位置に戻るので、球送り部材に受け入れた１個の遊技球をスムーズに発射部に供給することができる。
【０００９】
本発明の請求項２に記載の遊技機は、請求項１に記載の発明の作用効果を奏することができる。
【発明を実施するための最良の形態】
【００１０】
次に本発明を実施するための最良の形態について図面を参照して説明する。図１は、本発明の遊技機であるパチンコ機１の正面図である。図２はガラス枠３及び開閉パネル４を開放して示すパチンコ機１の下部部分の斜視図である。図３は、蓋部を取り除いた状態の球送り装置１１の正面図である。図４は、球送り装置１１の分解斜視図である。図５は、球送り部材２７が上昇した状態における蓋部を取り除いた球送り装置１１の正面図である。
【００１１】
図１に示すように、パチンコ機１には、上半分に遊技球が流下する遊技盤２が着脱自在に装着されている。この遊技盤２は略正方形であり、透明なガラス板を保持したガラス枠３で保護されている。なお、遊技盤２上には、図示しないが、各種の入賞口や飾り部品が適宜配設されている。遊技盤２の下方には、発射部（後述）に遊技球を供給し、かつ賞品球を受ける上皿５を有する開閉パネル４が開閉自在に設けられている。そして、上皿５の直下には、賞品球を受ける下皿６が設けられ、下皿６の右横には遊技球の発射を調整する発射ハンドル７が設けられている。
【００１２】
また、図２に示すように、遊技盤２の下方には、遊技球を打撃して遊技盤２内に発射する発射部９が設けられている。そして、開閉パネル４の裏面には、上皿５内の遊技球を発射部９に導く球送り装置１１が配設されている。この球送り装置１１により、遊技球は１個ずつ発射部９に送られ、発射部９から遊技盤２内に向けて発射されるように構成されている。
【００１３】
球送り装置１１は、図３及び図４に示すように、箱状のケース２１に収められた状態で開閉パネル４の裏側に取り付けられている。透明の樹脂製のケース２１は、本体部２２と、本体部２２に着脱もしくは開閉可能に取り付けられる３つの蓋部２３，２４，２５とからなっている。開閉パネル４に接する側の本体部２２の略中央には、開閉パネル４の裏面に設けられた通過口（図示外）に連通する流入口２８が設けられている。そして、本体部２２の内部に、流入口２８から遊技球が流れるための下り傾斜させた供給通路２９が形成されている。蓋部２３及び蓋２４の下部は欠けて形成されており、その間が、発射部９に遊技球を送るための球供給口４０となっている。
【００１４】
供給通路２９の傾斜下端に対向する位置には、球送り部材２７が配設され、球送り部材２７の上方に、電磁石２６が取り付けられている。球送り部材２７は、後端上部が本体部２２に軸４１により上方に回動可能に軸支されており、供給通路２９の傾斜下端に対向する側の上部には球抑止部４２が、下部先端にパチンコ機１後方に向かって傾斜した球載せ部４３が形成されている。これらの球抑止部４２と球載せ部４３とに囲まれた空間が遊技球を１球だけ保持する球受け部４４となっている。そして、球送り部材２７の上部の電磁石２６と対向する面には、被吸引部材３９が爪５０に挟まれて付設されている。被吸引部材３９は、鉄板４５及び薄板４６とから構成され、鉄板４５の上面に薄板４６が接着剤により接着固定されている。鉄板４５は、電磁石２６が励磁されたときに球送り部材２７を上方に引き上げるための磁性部材である。また、薄板４６は、非磁性部材であるステンレス板である。ここで、磁性部材は鉄板に限らず磁力により吸引される磁性体であれば鉄製でもニッケル製でも他の材料であってもよい。また、非磁性部材も、磁性を帯びていないものであれば、非磁性ステンレスに限らず、アルミ板等でもよい。
【００１５】
球送り部材２７の下部後方は、ケース２１の本体部２２の一部をなす下部規制部材４７に隣接するように配置されている。このように球送り部材２７の下部後端が下部規制部材４７に接触することにより球送り部材２７の後方への揺動が規制される。また、供給通路２９の傾斜下端直下には、球送り部材２７の球載せ部４３に接触して球送り部材２７の上方への揺動を規制する上部規制部材４８が本体部２２に一体成形されて形成されている。従って、球送り部材２７は、図３に示すように、常には自重により先端が下降して下部規制部材４７に接触した状態で停止しており、電磁石２６への励磁により引き上げられると球載せ部４３の上端が上部規制部材４８に当接して停止する（図５参照）ことになる。
【００１６】
また、電磁石２６は、下向きコの字状の鉄心４９にコイルを設け、鉄心４９の先端を球送り部材２７の被吸引部材３９に対向させて、球送り部材２７の上方のケース２１の本体部２２内に取り付けられている。なお、鉄心４９の先端と被吸引部材３９とは、被吸引部材３９が最も吸引された位置であっても所定間隔（本実施形態では０．４ミリ）の隙間が空くように設計されている。
【００１７】
以上の構成の球送り装置１１を備えたパチンコ機１において遊技をする場合、遊技者が上皿５に遊技球を投入すると（図１参照）、これらの遊技球は上皿５内の整列路を流下する途中で一列に整列され、開閉パネル４内の通過口を通って、図３に示すように、球送り装置１１の供給通路２９に導入される。遊技者が発射ハンドル７（図１参照）を操作しない状態では、電磁石２６は消磁したままであり、図３に示すように、球送り部材２７は自重により先端が下降して下部規制部材４７に接触した状態で停止している。従って、供給通路２９に導入された遊技球は、先端の球が球送り部材２７の球抑止部４２に当接して流下を阻止された状態で待機することとなる。
【００１８】
遊技者が発射ハンドル７を操作すると、電磁石２６が所定時間励磁される。電磁石２６が励磁すると、電磁石２６内の鉄心４９先端の磁力により、被吸引部材３９の磁性体である鉄板４５が上方に引きつけられるので、球送り部材２７は軸４１を中心に先端が上昇する方向（図３及び図５中反時計方向）に回動する。そして、回動した球送り部材２７は、球載せ部４３の上端が上部規制部材４８に当接して停止する（図５参照）。この状態になると、球抑止部４２が供給通路２９の先頭の遊技球から離れるので、この先頭の遊技球が転がって球受け部４４内に入り込む。そして、次の遊技球は球受け部４４内に入った遊技球により流下を阻止されるので、供給通路２９の先端で停止する。
【００１９】
所定時間経過して電磁石２６が消磁すると、球送り部材２７は軸４１を中心に自重と球受け部４４内に入っている遊技球の重みにより下降する方向（図３及び図５中時計方向）に回動し、図３に示すように、下部規制部材４７に接触した状態に戻る。前述のように、鉄心４９の先端と被吸引部材３９との間は、設計上所定間隔（本実施形態では０．４ミリ）の隙間が空くように構成されているが、部品の精度や製造上の誤差により、電磁石２６が励磁している際に鉄心４９先端と被吸引部材３９との間が非常に狭くなって、鉄心４９と被吸引部材３９とが直接接触してしまったような場合にも、被吸引部材３９の上部は非磁性部材である薄板４６により構成されているので、電磁石２６が消磁すれば、被吸引部材３９は速やかに鉄心４９から離れ、球送り部材２７は下降する。球送り部材２７が下降すると、球受け部４４内に保持された遊技球も下降し、球供給口４０を通過して発射部９（図２参照）に供給され、発射部９において打撃されて遊技盤２（図１参照）内に飛入し、遊技に供される。
【００２０】
以上説明したように、本実施形態のパチンコ機１によれば、電磁石２６を励磁して球送り部材２７を引きつけた際に、鉄心４９先端と被吸引部材３９との間が狭くなったために、鉄心４９と被吸引部材３９とが直接接触してしまったような場合にも、被吸引部材３９の上部は非磁性部材である薄板４６で構成されているので、電磁石２６が消磁すれば、残留磁気が残ることもなく、被吸引部材３９は速やかに鉄心４９から離れ、球送り部材２７は下降する。従って、残留磁気により球送り部材２７が下降しない事態を回避することができ、磁力の弱い電磁石２６を用いて電磁石２６と球送り部材２７との間を狭く配置しても、スムーズな球送りを行なうことができる。
【図面の簡単な説明】
【００２１】
【図１】本発明の遊技機であるパチンコ機１の正面図である。
【図２】ガラス枠３及び開閉パネル４を開放して示すパチンコ機１の下部部分の斜視図である。
【図３】蓋部を取り除いた状態の球送り装置１１の正面図である。
【図４】球送り装置１１の分解斜視図である。
【図５】球送り部材２７が上昇した状態における蓋部を取り除いた球送り装置１１の正面図である。
【符号の説明】
【００２２】
１      パチンコ機
９      発射部
１１      球送り装置
２６      電磁石
２７      球送り部材
２９      供給通路
４２      球抑止部
４３      球載せ部
４４      球受け部
４５      鉄板
４６      薄板
【図１】
2006034477.tif 000003
【図２】
2006034477.tif 000004
【図３】
2006034477.tif 000005
【図４】
2006034477.tif 000006
【図５】
2006034477.tif 000007